(57)【要約】【課題】着信側端末が通信可能になったことを着信側端末ユーザの行為に依存せずに、発信側端末のユーザがすぐに知る。【解決手段】通信システムは、端末と、前記端末と通信する基地局と、前記基地局に接続し、着信側端末から前記基地局を介して受信した情報に基づいて前記着信側端末が着信拒否状態であるか否か判定し、前記着信側端末の着信拒否状態が解除されたと判定するとその旨を示す着信拒否解除情報を前記基地局を介して発信側端末に向けて送信する管理装置とを具備し、前記発信側端末は、前記着信拒否解除情報を受信すると、当該着信拒否解除情報を表示する。【選択図】図１
2011228839.tif 000002
【特許請求の範囲】
【請求項１】
端末と、
前記端末と通信する基地局と、
前記基地局に接続し、着信側端末から前記基地局を介して受信した情報に基づいて前記着信側端末が着信拒否状態であるか否か判定し、前記着信側端末の着信拒否状態が解除されたと判定するとその旨を示す着信拒否解除情報を前記基地局を介して発信側端末に向けて送信する管理装置とを具備し、
前記発信側端末は、前記着信拒否解除情報を受信すると、当該着信拒否解除情報を表示することを特徴とする通信システム。
【請求項２】
前記着信側端末は、着信拒否状態を解除すると前記基地局を介して前記管理装置に向けて通信規格を示す通信規格情報を送信し、
前記管理装置は、前記通信規格情報を受信すると、当該通信規格情報を前記基地局を介して前記発信側端末に向けて送信し、
前記発信側端末は、前記通信規格情報を受信すると、当該通信規格情報を表示することを特徴とする請求項１に記載の通信システム。
【請求項３】
前記着信側端末は、自端末の電波強度、移動速度及び位置情報に基づいて通信安定度を算出し、着信拒否状態を解除すると前記基地局を介して前記管理装置に向けて前記通信安定度を示す通信安定度情報を送信し、
前記管理装置は、前記通信安定度情報を受信すると、当該通信安定度情報を前記基地局を介して前記発信側端末に向けて送信し、
前記発信側端末は、前記通信安定度情報を受信すると、当該通信安定度情報を表示することを特徴とする請求項１または２に記載の通信システム。
【請求項４】
前記着信側端末は、着信拒否状態を解除すると前記基地局を介して前記管理装置に向けて電池残量を示す電池残量情報を送信し、
前記管理装置は、前記電池残量情報を受信すると、当該電池残量情報を前記基地局を介して前記発信側端末に向けて送信し、
前記発信側端末は、前記電池残量情報を受信すると、当該電池残量情報を表示することを特徴とする請求項１〜３のいずれかに記載の通信システム。
【請求項５】
前記管理装置は、前記発振側端末が前記着信側端末に対して発信した際に前記着信側端末が着信拒否状態であると判定するとその旨を示す着信拒否情報を前記基地局を介して前記発信側端末に向けて送信し、
前記発信側端末は、前記着信拒否情報を受信すると、当該着信拒否情報を表示することを特徴とする請求項１〜４のいずれかに記載の通信システム。
【請求項６】
前記着信拒否状態とは、ドライブモード設定状態また指定着信拒否状態であることを特徴とする請求項１〜５のいずれかに記載の通信システム。
【発明の詳細な説明】
【技術分野】
【０００１】
本発明は、通信システムに関する。
【背景技術】
【０００２】
従来、移動体通信システムにおいて、携帯端末のユーザが電話を受信したくない状況にある場合に、当該ユーザは携帯端末にドライブモードを設定、また任意の電話番号を携帯端末の着信拒否に設定することで電話の着信を拒否していた。例えば、上述の電話番号を着信拒否に設定できる携帯端末として、下記特許文献１には、着信拒否設定が設定可能であり、着信者の居場所や、着信者自身が想定した様々なシチュエーションに応じて設定値が自動的に変更される携帯端末が開示されている。
【先行技術文献】
【特許文献】
【０００３】
【特許文献１】特開２００５−１０１８１９号公報
【発明の概要】
【発明が解決しようとする課題】
【０００４】
しかしながら、着信側端末のユーザが、ドライブモードまたは着信拒否設定を解除して通信可能状態になったとしても、発信側端末のユーザは、着信側端末が通信可能状態に戻ったことを知ることができない。換言すれば、発信側端末のユーザは着信側端末が通信可能になったことを着信側端末のユーザの行為に依存せずに、すぐに知ることができないという問題があった。
【０００５】
本発明は、上述した事情に鑑みてなされたものであり、着信側端末が通信可能になったことを着信側端末ユーザの行為に依存せずに、発信側端末のユーザがすぐに知ることを目的とする。
【課題を解決するための手段】
【０００６】
上記目的を達成するために、本発明では、通信システムに係る第１の解決手段として、端末と、前記端末と通信する基地局と、前記基地局に接続し、着信側端末から前記基地局を介して受信した情報に基づいて前記着信側端末が着信拒否状態であるか否か判定し、前記着信側端末の着信拒否状態が解除されたと判定するとその旨を示す着信拒否解除情報を前記基地局を介して発信側端末に向けて送信する管理装置とを具備し、前記発信側端末は、前記着信拒否解除情報を受信すると、当該着信拒否解除情報を表示するという手段を採用する。
【０００７】
本発明では、通信システムに係る第２の解決手段として、上記第１の解決手段において、前記着信側端末は、着信拒否状態を解除すると前記基地局を介して前記管理装置に向けて通信規格を示す通信規格情報を送信し、前記管理装置は、前記通信規格情報を受信すると、当該通信規格情報を前記基地局を介して前記発信側端末に向けて送信し、前記発信側端末は、前記通信規格情報を受信すると、当該通信規格情報を表示するという手段を採用する。
【０００８】
本発明では、通信システムに係る第３の解決手段として、上記第１または第２の解決手段において、前記着信側端末は、自端末の電波強度、移動速度及び位置情報に基づいて通信安定度を算出し、着信拒否状態を解除すると前記基地局を介して前記管理装置に向けて前記通信安定度を示す通信安定度情報を送信し、前記管理装置は、前記通信安定度情報を受信すると、当該通信安定度情報を前記基地局を介して前記発信側端末に向けて送信し、前記発信側端末は、前記通信安定度情報を受信すると、当該通信安定度情報を表示するという手段を採用する。
【０００９】
本発明では、通信システムに係る第４の解決手段として、上記第１〜第３のいずれかの解決手段において、前記着信側端末は、着信拒否状態を解除すると前記基地局を介して前記管理装置に向けて電池残量を示す電池残量情報を送信し、前記管理装置は、前記電池残量情報を受信すると、当該電池残量情報を前記基地局を介して前記発信側端末に向けて送信し、前記発信側端末は、前記電池残量情報を受信すると、当該電池残量情報を表示するという手段を採用する。
【００１０】
本発明では、通信システムに係る第５の解決手段として、上記第１〜第４のいずれかの解決手段において、前記管理装置は、前記発振側端末が前記着信側端末に対して発信した際に前記着信側端末が着信拒否状態であると判定するとその旨を示す着信拒否情報を前記基地局を介して前記発信側端末に向けて送信し、前記発信側端末は、前記着信拒否情報を受信すると、当該着信拒否情報を表示するという手段を採用する。
【００１１】
本発明では、通信システムに係る第６の解決手段として、上記第１〜第５のいずれかの解決手段において、前記着信拒否状態とは、ドライブモード設定状態また指定着信拒否状態であるという手段を採用する。
【発明の効果】
【００１２】
本発明によれば、管理装置は、着信側端末が着信拒否状態であるか否か判定し、着信側端末の着信拒否状態が解除されたと判定するとその旨を示す着信拒否解除情報を基地局を介して発信側端末に向けて送信し、発信側端末は、着信拒否解除情報を受信すると、当該着信拒否解除情報を表示する。これにより、着信側端末が通信可能になったことを着信側端末のユーザの行為に依存せずに、発信側端末のユーザがすぐに知ることができる。
【図面の簡単な説明】
【００１３】
【図１】本発明の実施形態に係る通信システムＡのシステム構成図である。
【図２】本発明の実施形態に係る着信側端末３の機能ブロック図である。
【図３】本発明の実施形態に係る着信側端末３の発信側端末１、第１の基地局２、着信側端末３、第２の基地局４及び管理装置５の動作を示す図である。
【図４】本発明の実施形態に係る通信システムＡの着信側端末３の着信拒否情報に基づく表示を示す図である。
【図５】本発明の実施形態に係る通信システムＡの着信側端末３のドライブモード解除情報及び端末情報に基づく表示を示す図である。
【発明を実施するための形態】
【００１４】
以下、図面を参照して、本発明の実施形態について説明する。
本実施形態に係る通信システムＡは、図１に示すように、発信側端末１、第１の基地局２、着信側端末３、第２の基地局４、管理装置５及びＧＰＳ（Global Positioning System）衛星６（測位用人工衛星）から構成されている。
【００１５】
発信側端末１は、第１の基地局２のセル内に位置し、所定の通信方式に基づいて第１の基地局２と信号を送受信することで音声通信またはデータ通信を実行する携帯電話機である。
第１の基地局２は、第２の基地局４及びその他の基地局（図示略）と所定間隔をあけて配置されており、割り当てられたセルにおいて発信側端末１と信号を送受信する。
【００１６】
着信側端末３は、第２の基地局４のセル内に位置し、所定の通信方式に基づいて第２の基地局４と信号を送受信することで音声通信またはデータ通信を実行する携帯電話機である。
第２の基地局４は、第１の基地局２及びその他の基地局（図示略）と所定間隔をあけて配置されており、割り当てられたセルにおいて着信側端末３と信号を送受信する。
【００１７】
管理装置５は、第１の基地局２及び第２の基地局４に接続され、発信側端末１及び着信側端末３の位置登録情報を記憶し、発信側端末１から着信側端末３に対する発信が第１の基地局２を介して通知されると、位置登録情報に基づいて着信側端末３に対する呼び出しを第２の基地局４に実行させる。また、管理装置５は、位置登録情報以外の端末個々の情報も記憶する。
ＧＰＳ衛星６は、衛星軌道に沿って地球を周回する周回衛星であり、測位用の信号を送信する。
【００１８】
続いて、着信側端末３の構成について説明する。着信側端末３は、図２に示すように、アンテナ１１、送受信部１２、電波強度検出部１３、測位部１４、速度算出部１５、通信安定度判定部１６、電池監視部１７、表示部１８、操作部１９及び制御部２０を備える。
アンテナ１１は、送受信部１２から入力される送信信号を電波として送信する一方、受信した電波を受信信号として送受信部１２に出力する。また、アンテナ１１は、ＧＰＳ衛星６から受信した電波を測位信号として送受信部１２に出力する。
【００１９】
送受信部１２は、制御部から入力されたデジタル送信信号を変調して送信信号を生成し、当該送信信号をアンテナ１１に出力し、またアンテナ１１から入力された受信信号を復調してデジタル受信信号を生成し、当該デジタル受信信号を電波強度検出部１３及び制御部２０に出力する。また、送受信部１２は、アンテナ１１から入力された測位信号を復調してデジタル測位信号を生成し、当該デジタル測位信号を測位部１４に出力する。
【００２０】
電波強度検出部１３は、送受信部１２から入力されるデジタル受信信号に基づいて第２の基地局４から受ける電波の強度を検出し、電波強度を示す電波強度情報を通信安定度判定部１６に出力する。
測位部１４は、送受信部１２から入力されたデジタル測位信号に基づいて着信側端末３の位置を計測し、当該位置情報を速度算出部１５に出力する。
速度算出部１５は、測位部１４から入力された位置情報から着信側端末３の移動速度を算出し、位置情報とともに移動速度を示す移動速度情報を通信安定度判定部１６に出力する。
【００２１】
通信安定度判定部１６は、電波強度検出部１３から入力された電波強度情報と、速度算出部１５から入力された移動速度情報及び位置情報を複合的に判断して、着信側端末３が安定的に特定の基地局圏内に存在することを示す通信安定度を算出し、当該通信安定度情報を制御部２０に出力する。例えば、通信安定度判定部１６は、まず電波強度情報を基準に通信安定度を算出し、移動速度情報に基づいて高速で移動していると判定した場合や位置情報から推定した移動経路に基づいて通信圏内から出そうであると判定した場合に通信安定度を下げる。
電池監視部１７は、着信側端末３に搭載されている電池（不図示）を監視してその残量を検出するものであり、電池残量に基づいて待ち受け状態における使用可能時間と通話状態における使用可能時間とを算出し、両使用可能時間を電池残量を示す電池残量情報として制御部２０に出力する。
【００２２】
表示部１８は、例えば液晶モニタなどであり、制御部２０から入力される信号に基づいて画像や文字からなる各種画面を表示する。
操作部１９、電源キー、テンキー、各種ファンクションキー等の各種操作キーから構成されており、これらの操作キーに対するユーザの操作指示を制御部２０に出力する。
【００２３】
制御部２０は、ＣＰＵ（Central Processing Unit）、ＲＯＭ（Read Only Memory）及びＲＡＭ（Random Access Memory）から構成されており、上記ＲＯＭに記憶された制御プログラム、送受信部１２から入力されるデジタル受信信号、通信安定度判定部１６から入力される通信安定度情報、電池監視部１７から入力される電池残量情報及び操作部１９が受け付ける操作指示に基づいて着信側端末３の全体動作を制御する。なお、制御部２０が実行する処理の詳細については、以下に着信側端末３の動作として説明する。
【００２４】
次に、通信システムＡの発信側端末１、第１の基地局２、着信側端末３、第２の基地局４及び管理装置５の動作について図３を参照して説明する。
〔ステップＳ１〕
ステップＳ１において、着信側端末３は、ドライブモード設定状態（着信拒否状態）になると、ドライブモードに設定された旨を第２の基地局４を介して管理装置５に通知する。ステップＳ１を具体的に説明すると、まず、着信側端末３の制御部２０は、操作部１９がドライブモード設定指示を受け付けると、ドライブモード設定状態になり、第２の基地局４に向けてドライブモード設定通知情報を送受信部１２に送信させる。第２の基地局４は、着信側端末３からドライブモード設定通知情報を受信すると、管理装置５に向けて当該ドライブモード設定通知情報を送信する。管理装置５は、第２の基地局４からドライブモード設定通知情報を受信すると、ドライブモード設定通知情報に基づいて着信側端末３にドライブモードが設定された旨を登録する。
【００２５】
〔ステップＳ２〕
ステップＳ１が終了すると、次にステップＳ２において、発信側端末１は、着信側端末３に対する発信指示（ここでは音声を伴う通信の発信とする）を受け付けると、着信側端末３に対する発信を実行する。ステップＳ２を具体的に説明すると、まず、発信側端末１は、着信側端末３に対する発信指示を受け付けると、第１の基地局２に向けて発信信号を送信する。第１の基地局２は、発信側端末１から発信信号を受信すると、管理装置５に向けて当該発信信号を送信する。管理装置５は、第１の基地局２から発信信号を受信すると、発信先である着信側端末３がドライブモード設定状態であるか否か判定する。ここでは、管理装置５は、着信側端末３がドライブモード設定状態であると判定する。そして、管理装置５は、ドライブモード設定状態であるために着信側端末３に対するに対する着信が不可であることを示す発信記録を保存する。
【００２６】
〔ステップＳ３〕
ステップＳ２が終了すると、次にステップＳ３において、管理装置５は、ドライブモード設定状態であるために着信側端末３に対する音声通信が拒否された旨を示す着信拒否情報を第１の基地局２を介して発信側端末１に送信する。ステップＳ３を具体的に説明すると、まず、管理装置５は、第１の基地局２に向けて着信拒否情報を送信する。第１の基地局２は、管理装置５から着信拒否情報を受信すると、発信側端末１に向けて当該着信拒否情報を送信する。発信側端末１は、着信拒否情報を受信すると、着信拒否情報に基づいて「発信先名」、「通話不可能（ドライブモード）」及び「データ通信可能」（図４参照）を表示する。「発信先名」は、着信側端末３のユーザの名前を示している。「通話不可能（ドライブモード）」は、着信側端末３がドライブモード設定状態であるために音声通信不可である旨を示している。「データ通信可能」は、電子メールなどのデータ通信が可能である旨を示している。
【００２７】
〔ステップＳ４〕
ステップＳ３が終し、次にステップＳ４において、着信側端末３は、ドライブモードを解除すると、ドライブモードが解除された旨を示すドライブモード解除情報とともに着信側端末３の状態を示す端末情報を第２の基地局４を介して管理装置５に送信する。なお、端末情報とは、着信側端末３の通信規格情報、上述の通信安定度情報及び電池残量情報から構成されている。ステップＳ４を具体的に説明すると、まず、着信側端末３の制御部２０は、操作部１９がドライブモード解除指示を受け付けると、ドライブモードを解除し、第２の基地局４に向けてドライブモード解除情報及び端末情報を送受信部１２に送信させる。
第２の基地局４は、着信側端末３からドライブモード解除情報及び端末情報を受信すると、管理装置５に向けて当該ドライブモード解除情報及び端末情報を送信する。管理装置５は、第２の基地局４からドライブモード解除情報及び端末情報を受信すると、ドライブモード解除情報に基づいて着信側端末３のドライブモードが解除された旨を登録するとともに端末情報を記憶する。
【００２８】
〔ステップＳ５〕
ステップＳ４が終了すると、次にステップＳ５において、管理装置５は、ドライブモード解除情報に基づいて着信側端末３のドライブモードが解除されたと判定し、ドライブモード解除情報（着信拒否解除情報）及び端末情報を第１の基地局２を介して発信記録から着信が不可となった発信側端末１に送信する。ステップＳ５を具体的に説明すると、まず、管理装置５は、第１の基地局２に向けてドライブモード解除情報及び端末情報を送信する。第１の基地局２は、管理装置５からドライブモード解除情報及び端末情報を受信すると、発信側端末１に向けてドライブモード解除情報及び端末情報送信する。発信側端末１は、ドライブモード解除情報及び端末情報を受信すると、ドライブモード解除情報に基づいて「発信先名」、「通話可能」、「データ通信可能」を表示し、端末情報に基づいて「通信規格：ＬＴＥ（通信速度：高）」、「通信安定度：高」及び「電池残量：残り待機時間  １０ｈ  残り通話時間  ２ｈ」（図５参照）を表示する。
【００２９】
「発信先名」は、着信側端末３のユーザの名前を示している。「通話可能」は、着信側端末３がドライブモード解除されたために音声通信できる旨を示している。「データ通信可能」は、電子メールなどのデータ通信が可能である旨を示している。「通信規格：ＬＴＥ（通信速度：高）」は、着信側端末３の通信規格がＬＴＥ（Long Term Evolution）であり、通信速度が高速である旨を示している。例えば、通信規格としてＬＴＥ以外にもＷ−ＣＤＭＡなどを表示する。これにより、発信側端末１のユーザは、表示に基づいて着信側端末３との間でデータ量が多い通信ができるか否か判断できる。また、通信速度は、図５のように文字列で表すほかに、ゲージや図形の数、数字で表してもよい。「電池残量：残り待機時間  １０ｈ  残り通話時間  ２ｈ」は、着信側端末３の電池残量を示し、着信側端末３の待ち受け状態における使用可能時間が１０時間の電池残量であり、通話状態における使用可能時間が２時間の電池残量であることを示している。
【００３０】
〔ステップＳ６〕
ステップＳ５が終了すると、次にステップＳ６において、着信側端末３は、定期的にドライブモード解除情報とともに端末情報を第２の基地局４を介して管理装置５に送信する。
〔ステップＳ７〕
ステップＳ６が終了すると、次にステップＳ７において、管理装置５は、定期的にドライブモード解除情報及び端末情報を第１の基地局２を介して発信側端末１に送信し、発信側端末１は、ドライブモード解除情報及び端末情報を受信すると、ドライブモード解除情報及び端末情報に基づいて図５に示す表示を更新する。このため、発信側端末１のユーザは、端末情報を随時確認できる。
その後、発信側端末１から着信側端末３に対する発信が実行されると、第１の基地局２、管理装置５及び第２の基地局４を介して着信側端末３は着信する。
【００３１】
以上のように、本実施形態では、管理装置５が、着信側端末３がドライブモード設定状態（着信拒否状態）であるか否か判定し、着信側端末３のドライブモード設定状態が解除されたと判定するとその旨を示すドライブモード解除情報を第１の基地局２を介して発信側端末１に向けて送信し、発信側端末１は、ドライブモード解除情報を受信すると、当該ドライブモード解除情報を表示する。これにより、着信側端末３が通信可能になったことを着信側端末のユーザの行為に依存せずに、発信側端末のユーザがすぐに知ることができる。
【００３２】
以上、本発明の実施形態について説明したが、本発明は上記実施形態に限定されることなく、例えば以下のような変形が考えられる。
（１）上記実施形態では、着信側端末３がドライブモード設定状態である場合に、図３に示す動作を実行したが、本発明はこれに限定されない。
例えば、着信側端末３が指定着信拒否状態である場合に、図３と同様の動作を実行するようにしてもよい。なお、指定着信拒否状態とは、電話番号指定、アドレス帳指定、アドレス帳以外指定、非通知指定などの着信拒否状態のことである。
【００３３】
（２）上記実施形態では、着信側端末３が、電池残量情報として使用可能時間を送信したが、本発明はこれに限定されない。
例えば、着信側端末３は、電池監視部１７により検出された電池残量をそのまま電池残量情報として管理装置５に送信するようにしてもよい。発信側端末１は、電池残量情報を受信すると、当該電池残量情報に基づいて電池残量を数字、文字列または図形の数などで表現するようにすればよい。
【符号の説明】
【００３４】
Ａ…通信システム、１…発信側端末、２…第１の基地局、３…着信側端末、４…第２の基地局、５…管理装置、６…ＧＰＳ衛星、１１…アンテナ、１２…送受信部、１３…電波強度検出部、１４…測位部、１５…速度算出部、１６…通信安定度判定部、１７…電池監視部、１８…表示部、１９…操作部、２０…制御部
【図１】
2011228839.tif 000003
【図２】
2011228839.tif 000004
【図３】
2011228839.tif 000005
【図４】
2011228839.tif 000006
【図５】
2011228839.tif 000007